(57)【要約】【課題】本発明は、光波長割り当て方法及び光通信システムに関し、各受信側装置における伝送損失による回線品質の劣化を効果的に抑制することを目的とする。【解決手段】波長分割多重伝送方式を用いる光通信システムにおいて複数の受信側装置の受信波長を割り当てる光波長割り当て方法において、送信側装置と各受信側装置との間の通信で使用される光の波長のうち最も長い波長を送信側装置から各受信側装置へ送信し、各受信側装置において最も長い波長の伝送損失を測定して送信側装置へ通知し、送信側装置において、各受信側装置からの伝送損失の通知に基づいて、最も大きい伝送損失の受信側装置から順に、最も長い受信波長から割り当てるように構成する。【選択図】図３
2008092194.tif 000002
【特許請求の範囲】
【請求項１】
波長分割多重伝送方式を用いる光通信システムにおいて複数の受信側装置の受信波長を割り当てる光波長割り当て方法であって、
送信側装置と各受信側装置との間の通信で使用される光の波長のうち最も長い波長を該送信側装置から各受信側装置へ送信するステップと、
各受信側装置において該最も長い波長の伝送損失を測定するステップと、
各受信側装置から測定した伝送損失を該送信側装置へ通知するステップと、
該送信側装置において、各受信側装置からの伝送損失の通知に基づいて、最も大きい伝送損失の受信側装置から順に、最も長い受信波長から割り当てるステップとを含むことを特徴とする、光波長割り当て方法。
【請求項２】
該複数の受信側装置の数はｎ台、ｎは２以上の整数であり、
該測定するステップで測定した最も長い波長λ１の伝送損失はｌ１〜ｌｎ、ｌ１>ｌ２>...>ｌｎであり、
該割り当てるステップは、伝送損失ｌ１〜ｌｎの受信側装置の順で夫々受信波長λ１〜λｎを割り当て、λ１>λ２>...>λｎであることを特徴とする、請求項１記載の光波長割り当て方法。
【請求項３】
波長分割多重伝送方式を用いる光通信システムであって、
送信側装置と、
該送信側装置と光伝送路を介して通信可能な複数の受信側装置とを備え、
該送信側装置は、各受信側装置との間の通信で使用される光の波長のうち最も長い波長を各受信側装置へ送信する送信手段を備え、
各受信側装置は、該最も長い波長の伝送損失を測定する測定手段と、測定した伝送損失を該送信側装置へ通知する通知手段とを備え、
該送信側装置は、各受信側装置からの伝送損失の通知に基づいて、最も大きい伝送損失の受信側装置から順に、最も長い受信波長から割り当てる波長割り当て手段を更に備えたことを特徴とする、光通信システム。
【請求項４】
該送信側装置の該波長割り当て手段は、伝送損失が同じ２台以上の受信側装置に対しては、任意の順に受信波長を割り当てることを特徴とする、請求項３記載の光通信システム。
【請求項５】
該送信側装置はＯＳＵであり、各受信側装置はＯＮＵであり、ＷＤＭ−ＰＯＮシステムを構成することを特徴とする、請求項３又は４記載の光通信システム。
【発明の詳細な説明】
【技術分野】
【０００１】
本発明は、光波長割り当て方法及び光通信システムに係り、特に波長分割多重伝送方式で光通信を行う際に受信側装置に対して受信波長を割り当てる光波長割り当て方法及びそのような光波長割り当て方法を用いた光通信システムに関する。
【背景技術】
【０００２】
光ファイバからなる光伝送路を用いた光通信を行う場合、伝送周波数が高いからといってその割合で伝送容量を多くすることはできない。そこで、波長分割多重（ＷＤＭ：Wavelength Division Multiplex）伝送方式を用いることで、例えばＯＳＵ（Optical Subscriber Unit）等の送信側装置と複数のＯＮＵ（Optical Network Unit）等の受信側装置との間の光伝送路を有効利用することができる。この場合、各ＯＮＵに対しては、例えば各ＯＮＵのＩＤに応じて受信波長が固定的に割り当てられる。ＯＳＵから光カプラを介して複数のＯＮＵに情報が伝送されると、各ＯＮＵでは各々に割り当てられた受信波長の情報を取り込む。
【０００３】
尚、光カプラによって各子局から親局への上り光信号を合成し、光路切り分け器を通して親局に送り出すことで、光分波器は下り信号のみを分波すれば良い構成として、光ポート数を最小限に抑える波長多重ＰＯＮ（Passive Optical Network）システムが、例えば特許文献１にて提案されている。
【特許文献１】特開２００５−１２２７８号公報
【発明の開示】
【発明が解決しようとする課題】
【０００４】
従来、ＯＳＵから光カプラを介して各ＯＮＵに情報を伝送する場合、光カプラから各ＯＮＵまでの光ファイバの距離が異なるため、たとえ各ＯＮＵ自体の特性が略同じであっても、伝送損失による回線品質の劣化は各ＯＮＵ毎に異なる。又、光ファイバの特性により、伝送波形の減衰は伝送波長が短い程大きくなる傾向があり、光カプラからＯＮＵまでの光ファイバの距離が同じであっても短い受信波長が割り当てられたＯＮＵの回線品質の劣化の方が長い受信波長が割り当てられたＯＮＵの回線品質の劣化と比べると大きくなる。このため、各ＯＮＵにおける伝送損失による回線品質の劣化を抑制することは難しいという問題があった。
【０００５】
そこで、本発明は、各受信側装置における伝送損失による回線品質の劣化を効果的に抑制することが可能な光波長割り当て方法及び光通信システムを提供することを目的とする。
【課題を解決するための手段】
【０００６】
上記の課題は、波長分割多重伝送方式を用いる光通信システムにおいて複数の受信側装置の受信波長を割り当てる光波長割り当て方法であって、送信側装置と各受信側装置との間の通信で使用される光の波長のうち最も長い波長を該送信側装置から各受信側装置へ送信するステップと、各受信側装置において該最も長い波長の伝送損失を測定するステップと、各受信側装置から測定した伝送損失を該送信側装置へ通知するステップと、該送信側装置において、各受信側装置からの伝送損失の通知に基づいて、最も大きい伝送損失の受信側装置から順に、最も長い受信波長から割り当てるステップとを含むことを特徴とする光波長割り当て方法によって達成できる。
【０００７】
上記の課題は、波長分割多重伝送方式を用いる光通信システムであって、送信側装置と、該送信側装置と光伝送路を介して通信可能な複数の受信側装置とを備え、該送信側装置は、各受信側装置との間の通信で使用される光の波長のうち最も長い波長を各受信側装置へ送信する送信手段を備え、各受信側装置は、該最も長い波長の伝送損失を測定する測定手段と、測定した伝送損失を該送信側装置へ通知する通知手段とを備え、該送信側装置は、各受信側装置からの伝送損失の通知に基づいて、最も大きい伝送損失の受信側装置から順に、最も長い受信波長から割り当てる波長割り当て手段を更に備えたことを特徴とする光通信システムによって達成できる。
【発明の効果】
【０００８】
本発明によれば、各受信側装置における伝送損失による回線品質の劣化を効果的に抑制することが可能な光波長割り当て方法及び光通信システムを実現することができる。
【発明を実施するための最良の形態】
【０００９】
光通信に用いる光ファイバは、伝送波長が長い程、伝送距離が長くても減衰が少ないという特性を有する。そこで、本発明は、この光ファイバの特性を有効利用する。
【００１０】
具体的には、送信側装置と複数の受信側装置との間で使用される光の波長のうち最も長い波長を送信側装置から各受信側装置へ伝送する。各受信側装置は、受信した波長の伝送損失を求めて送信側装置へ通知する。送信側装置は、各受信側装置からの通知に基づいて、伝送損失の最も大きい受信側装置から順に、最も長い受信波長から割り当てる。つまり、伝送損失が大きい受信側装置には長い受信波長が割り当てられ、伝送損失が小さい受信側装置には短い受信波長が割り当てられる。
【００１１】
これにより、各受信側装置における伝送損失による回線品質の劣化を効果的に抑制することが可能となる。又、受信側装置の増減に応じて受信波長の再割り当てを行うことで、受信側装置の増減にかかわらず回線品質を最適化することができる。
【００１２】
以下に、本発明の光波長割り当て方法及び光通信システムの各実施例を、図面と共に説明する。
【実施例】
【００１３】
図１及び図２は、本発明の光通信システムの一実施例の動作を説明するブロック図である。光通信システムの本実施例は、本発明の光波長割り当て方法の一実施例を用いる。本実施例では、説明の便宜上、本発明がＷＤＭ−ＰＯＮシステムに適用されているものとする。
【００１４】
図１及び図２に示すように、ＷＤＭ−ＰＯＮシステム１は、送信側装置を構成するＯＳＵ２と、光カプラ３と、受信側装置を構成する複数のＯＮＵ４−１〜４−ｎを有する。ここで、ｎは２以上の整数である。ＯＳＵ２と光カプラ３の間は光ファイバケーブル１１により接続され、光カプラ３とＯＮＵ４−１〜４−ｎの間は対応する光ファイバケーブル１２−１〜１２−ｎにより接続されている。光ファイバケーブル１２−１〜１２−ｎの長さは、ＯＮＵ４−１〜４−ｎの物理的な配置等に応じて異なり、全て同じ長さではない。又、各光ファイバケーブル１１，１２−１〜１２−ｎの線数（又は、光ファイバ数）は、伝送する情報の種類等に応じて任意に設定可能である。
【００１５】
例えば、ＯＳＵ２とＯＮＵ４−１〜４−ｎとの間の光伝送路の伝送速度が１Ｇｂｓであり、ｎ＝３２であれば、各ＯＮＵ４−１〜４−３２では３０Ｍｂｐｓ以上の伝送速度が得られる。
【００１６】
先ず、図１に示すように、ＯＳＵ２と各ＯＮＵ４−１〜４−ｎとの間の通信で使用される光の波長のうち最も長い波長λ１を、ＯＳＵ２から光カプラ３を介して各ＯＮＵ４−１〜４−ｎに伝送する。
【００１７】
又、図１に示すように、ＯＮＵ４−１〜４−ｎは、受信した波長λ１の伝送損失ｌ１〜ｌｎを求めてＯＳＵ２へ通知する。ここでは説明の便宜上、伝送損失ｌ１〜ｌｎがｌ１>ｌ２>...>ｌｎなる関係を満足するものとする。尚、説明の便宜上、図１は添え字の数字の順にＯＮＵ４−１〜４−ｎが配置されている場合を示すが、ＯＮＵ４−１〜４−ｎの相対位置関係は、図１に示すものに限定されないことは言うまでもない。
【００１８】
ＯＳＵ２は、ＯＮＵ４−１〜４−ｎからの伝送損失ｌ１〜ｌｎの通知に基づいて、図２に示すように最も大きい伝送損失ｌ１のＯＮＵ４−１から順に、最も長い受信波長λ１から割り当てる。つまり、伝送損失が大きいＯＮＵには長い受信波長が割り当てられ、伝送損失が小さいＯＮＵには短い受信波長が割り当てられる。この結果、ＯＮＵ４−１〜４−ｎには、夫々受信波長λ１〜λｎが割り当てられる。受信波長λ１〜λｎは、λ１>λ２>...>λｎなる関係を満足する。
【００１９】
これにより、各ＯＮＵ４−１〜４−ｎにおける伝送損失による回線品質の劣化を効果的に抑制することが可能となる。又、ＯＮＵの増減に応じて受信波長の再割り当てを行うことで、ＯＮＵの増減にかかわらず回線品質を最適化することができる。
【００２０】
尚、伝送損失が同じＯＮＵが２台以上存在する場合には、同じ伝送損失のＯＮＵに任意の順に受信波長を割り当てることができる。例えば、任意の順は、予め決められていても、各ＯＮＵのＩＤに応じて決められても良い。
【００２１】
図３は、本実施例の動作を説明するタイミングチャートである。図３に示すように、ＯＳＵ２が波長λ１を各ＯＮＵ４−１〜４−ｎに伝送すると、ＯＮＵ４−１〜４−ｎは受信した波長λ１の伝送損失ｌ１〜ｌｎを求めてＯＳＵ２へ通知する。
【００２２】
図４は、各ＯＮＵ４−１〜４−ｎの伝送損失測定処理（又は、伝送損失算出処理）を説明する図である。図４において、ステップＳＴ１は、ＯＳＵ２から受信した波長λ１の光の受信レベルを光／電気変換部により対応する電圧レベルに変換する。ステップＳＴ２は、光／電気変換部から得られた電圧レベルをアナログ／デジタル（Ａ／Ｄ）変換部により対応するデジタル値に変換する。ステップＳＴ３は、伝送損失算出部により、Ａ／Ｄ変換部から得られたデジタル値と予め分かっている基準値とを比較して伝送損失を算出する。この基準値は、予め分かっているＯＳＵ２の光出力レベルを、上記光／電気変換部とＡ／Ｄ変換部を通した場合に得られるデジタル値である。尚、各ＯＮＵ４−１〜４−ｎの伝送損失測定処理は、図４に示すものに限定されず、任意の方法により測定可能である。例えば、ＯＮＵが、受信した光の受信レベルを所定レベルに増幅する増幅部を含む自動利得制御部を有する場合には、自動利得制御部により制御された増幅部の利得の理想値からの増加分に基づいて電送損失を測定（又は、算出）することもできる。
【００２３】
図３の説明に戻るに、ＯＳＵ２は、ＯＮＵ４−１〜４−ｎからの伝送損失ｌ１〜ｌｎの通知に基づいて、最も大きい伝送損失ｌ１のＯＮＵ４−１に最も長い受信波長λ１の受信指示を送り、受信指示に対する受信応答がＯＮＵ４−１から戻ってくると、ＯＮＵ４−１に対するこの最も長い受信波長λ１の割り当てが終了する。以下同様にして、最も小さい伝送損失ｌｎのＯＮＵ４−ｎに最も短い受信波長λｎの受信指示を送り、受信指示に対する受信応答がＯＮＵ４−ｎから戻ってくると、ＯＮＵ４−ｎに対するこの最も短い受信波長λｎの割り当てが終了する。このようにして、伝送損失が大きいＯＮＵには長い受信波長が割り当てられ、伝送損失が小さいＯＮＵには短い受信波長が割り当てられ、ＯＮＵ４−１〜４−ｎには結果的に夫々受信波長λ１〜λｎが割り当てられる。
【００２４】
尚、本発明は、以下に付記する発明をも包含するものである。
（付記１）  波長分割多重伝送方式を用いる光通信システムにおいて複数の受信側装置の受信波長を割り当てる光波長割り当て方法であって、
送信側装置と各受信側装置との間の通信で使用される光の波長のうち最も長い波長を該送信側装置から各受信側装置へ送信するステップと、
各受信側装置において該最も長い波長の伝送損失を測定するステップと、
各受信側装置から測定した伝送損失を該送信側装置へ通知するステップと、
該送信側装置において、各受信側装置からの伝送損失の通知に基づいて、最も大きい伝送損失の受信側装置から順に、最も長い受信波長から割り当てるステップとを含むことを特徴とする、光波長割り当て方法。
（付記２）  該複数の受信側装置の数はｎ台、ｎは２以上の整数であり、
該測定するステップで測定した最も長い波長λ１の伝送損失はｌ１〜ｌｎ、ｌ１>ｌ２>...>ｌｎであり、
該割り当てるステップは、伝送損失ｌ１〜ｌｎの受信側装置の順で夫々受信波長λ１〜λｎを割り当て、λ１>λ２>...>λｎであることを特徴とする、付記１記載の光波長割り当て方法。
（付記３）  該割り当てるステップは、伝送損失が同じ２台以上の受信側装置に対しては、任意の順に受信波長を割り当てることを特徴とする、付記１又は２記載の光波長割り当て方法。
（付記４）  該任意の順は、予め決められた順番、或いは、各受信側装置のＩＤに応じて決められた順番であることを特徴とする、付記３記載の光波長割り当て方法。
（付記５）  該光通信システムはＷＤＭ−ＰＯＮシステムであり、該送信側装置はＯＳＵであり、各受信側装置はＯＮＵであることを特徴とする、付記１〜４のいずれか１項記載の光波長割り当て方法。
（付記６）  波長分割多重伝送方式を用いる光通信システムであって、
送信側装置と、
該送信側装置と光伝送路を介して通信可能な複数の受信側装置とを備え、
該送信側装置は、各受信側装置との間の通信で使用される光の波長のうち最も長い波長を各受信側装置へ送信する送信手段を備え、
各受信側装置は、該最も長い波長の伝送損失を測定する測定手段と、測定した伝送損失を該送信側装置へ通知する通知手段とを備え、
該送信側装置は、各受信側装置からの伝送損失の通知に基づいて、最も大きい伝送損失の受信側装置から順に、最も長い受信波長から割り当てる波長割り当て手段を更に備えたことを特徴とする、光通信システム。
（付記７）  該複数の受信側装置の数はｎ台、ｎは２以上の整数であり、
各受信側装置の該測定手段で測定した最も長い波長λ１の伝送損失はｌ１〜ｌｎ、ｌ１>ｌ２>...>ｌｎであり、
該送信側装置の該波長割り当て手段は、伝送損失ｌ１〜ｌｎの受信側装置の順で夫々受信波長λ１〜λｎを割り当て、λ１>λ２>...>λｎであることを特徴とする、付記６記載の光通信システム。
（付記８）  該送信側装置の該波長割り当て手段は、伝送損失が同じ２台以上の受信側装置に対しては、任意の順に受信波長を割り当てることを特徴とする、付記６又は７記載の光通信システム。
（付記９）  該任意の順は、予め決められた順番、或いは、各受信側装置のＩＤに応じて決められた順番であることを特徴とする、付記８記載の光通信システム。
（付記１０）  該送信側装置はＯＳＵであり、各受信側装置はＯＮＵであり、ＷＤＭ−ＰＯＮシステムを構成することを特徴とする、付記６〜９のいずれか１項記載の光通信システム。
（付記１１）  波長分割多重伝送方式を用いて複数の受信側装置と光通信を行う送信側装置であって、
該送信側装置と各受信側装置との間の通信で使用される光の波長のうち最も長い波長を各受信側装置へ送信する送信手段と、
送信した最も長い波長に対する各受信側装置からの伝送損失の通知に基づいて、最も大きい伝送損失の受信側装置から順に、最も長い受信波長から割り当てる波長割り当て手段とを備えたことを特徴とする、送信側装置。
（付記１２）  波長分割多重伝送方式を用いて送信側装置と光通信を行う受信側装置であって、
該受信側装置と該送信側装置との間の通信で使用される光の波長のうち最も長い波長を該送信側装置から受信する受信手段と、
該最も長い波長の伝送損失を測定する測定手段と、
該測定した伝送損失を該送信側装置へ通知する通知手段とを備えたことを特徴とする、受信側装置。
【００２５】
以上、本発明を実施例により説明したが、本発明は上記実施例に限定されるものではなく、本発明の範囲内で種々の変形及び改良が可能であることは言うまでもない。
【図面の簡単な説明】
【００２６】
【図１】本発明の光通信システムの一実施例の動作を説明するブロック図である。
【図２】実施例の動作を説明するブロック図である。
【図３】実施例の動作を説明するタイミングチャートである。
【図４】ＯＮＵの伝送損失測定処理を説明する図である。
【符号の説明】
【００２７】
１      ＷＤＭ−ＰＯＮシステム
２      ＯＳＵ
３      光カプラ
４−１〜４−ｎ      ＯＮＵ
１１，１２−１〜１２−ｎ      光ファイバケーブル
【図１】
2008092194.tif 000003
【図２】
2008092194.tif 000004
【図３】
2008092194.tif 000005
【図４】
2008092194.tif 000006